(57)【要約】【課題】  従来のネクタイでは、色や模様を工夫していくら装飾性を高めようとしても、所詮平面的な範囲での工夫に限られるので、自ずから限界があった。付加価値の大きな新しい種類のネクタイを作り出すには、何とかしてその限界を超える必要があった。【解決手段】  首に締めた場合に前方に位置するネクタイ前部３に、表面から裏面に貫通する任意の形状の貫通穴５を開ける。一方、首に締めた場合に後方に位置するネクタイ後部４に、色または模様が施された装飾体６を、着脱自在に取り付ける。矢印Ａの方向に見ると、貫通穴５を通して装飾体６が見える。この構成により、従来のものとは異なる味わいとか風情とかを醸し出すことが出来、付加価値を高めることも出来る。【選択図】        図２
0003103830.tif 000002
【実用新案登録請求の範囲】
【請求項１】
首に締めた場合に前方に位置し、表面から裏面に貫通する任意の形状の貫通穴が開けられたネクタイ前部と、首に締めた場合に後方に位置するネクタイ後部とを有するネクタイ本体と、
色または模様が施され、首に締めた場合に前記貫通穴を通して見えるように、前記ネクタイ後部に着脱自在に取り付けられる装飾体と
を具えたことを特徴とするネクタイ。
【請求項２】
首に締めた場合に前方に位置し、表面から裏面に貫通する任意の形状の貫通穴が開けられたネクタイ前部と、
首に締めた場合に後方に位置し、一部分に色または模様が施され、首に締めた場合に前記貫通穴を通して見えるような装飾部が設けられているネクタイ後部と
を具えたことを特徴とするネクタイ。
【考案の詳細な説明】
【技術分野】
【０００１】
本考案は、ネクタイに関するものである。
【背景技術】
【０００２】
図３は、従来のネクタイを示す図である。図３において、１はネクタイ、３はネクタイ前部、４はネクタイ後部である。
従来のネクタイ１は、大きく分けてネクタイ前部３とネクタイ後部４とから成っている。ネクタイ前部３は、首に締めた場合に前方に位置する部分であり、ネクタイ後部４は、首に締めた場合に後方に位置する部分である。
ネクタイ前部３の先端の形状、およびネクタイ後部４の後端の形状は、いずれも三角形の１つの角のような形状とされている。そして、材質としては布が用いられている。
ネクタイ１の表面および裏面には、装飾性を高めるため、種々の色や模様が施される。
【考案の開示】
【考案が解決しようとする課題】
【０００３】
従来のネクタイでは、色や模様を工夫していくら装飾性を高めようとしても、所詮平面的な範囲での工夫に限られるので、自ずから限界があった。そのため、付加価値の大きな新しい種類のネクタイを作り出すには、その限界を超えなければならないという問題点があった。
本考案は、このような問題点を解決することを課題とするものである。
【課題を解決するための手段】
【０００４】
前記課題を解決するため、本考案のネクタイでは、首に締めた場合に前方に位置し、表面から裏面に貫通する任意の形状の貫通穴が開けられたネクタイ前部と、首に締めた場合に後方に位置するネクタイ後部とを有するネクタイ本体と、色または模様が施され、首に締めた場合に前記貫通穴を通して見えるように、前記ネクタイ後部に着脱自在に取り付けられる装飾体とを具える構成とした。
あるいはまた、首に締めた場合に前方に位置し、表面から裏面に貫通する任意の形状の貫通穴が開けられたネクタイ前部と、首に締めた場合に後方に位置し、一部分に色または模様が施され、首に締めた場合に前記貫通穴を通して見えるような装飾部が設けられているネクタイ後部とを具える構成とした。
【考案の効果】
【０００５】
本考案のネクタイでは、ネクタイ前部３に貫通穴を設け、それを通して種々の色や模様の装飾体（あるいは装飾部）が見えるようにするという独特な構成とした。このような構成は、ネクタイ前部３が全て単なる平面となっていて、装飾は平面的なものに限られていた従来のネクタイに比べ、ネクタイにおける新たな装飾の世界を切り開く斬新な構成である。
この構成により、従来のものとは異なる味わいとか風情とかを醸し出すことが出来、独特の美的佇まいを具えるものとなるという効果を奏し、付加価値を高めることも出来る。
【考案を実施するための最良の形態】
【０００６】
以下、本考案の実施形態を図面に基づいて詳細に説明する。
図１は、本考案のネクタイを示す図である。符号は図３のものに対応し、５は貫通穴、６は装飾体、７は装飾部である。図１（１）〜（４）は、種々の実施形態のネクタイを示している。
先ず、図１（１）のネクタイについて説明する。
貫通穴５は、ネクタイ前部３の表面から裏面へと貫通するように開けられた穴である。開けられる位置は、適宜選定することが出来る。ネクタイを締めたときに、丁度胸の正面付近となる部分あたりとしてもよいし、意表をついてもっと下方の位置としてもよい。
【０００７】
装飾体６は、ネクタイ本体２とは独立した別体のものであり、ネクタイ後部４に着脱自在に取付けられる。装飾体６には、例えばネクタイ本体２とは違った色とか模様とかが施される。この装飾体６が貫通穴５と相まって、ネクタイの装飾性を高める。
装飾体６を作る部材としては、布等の可撓性シート部材が用いられる。装飾体６の形状は、腕章のように筒の形状にしても良いし、平面形状にしてもよい。筒状にした場合、その中にネクタイ後部４を通し、適宜の位置に固定する。平面形状にした場合、ネクタイ後部４の表面の側の適宜の位置に取り付ける。
装飾体６をネクタイ後部４に着脱自在に取り付ける手段としては、安全ピンとか、ホックとか、面ファスナー等を用いることが出来る。ホックや面ファスナーを用いる場合、それらを予めネクタイ後部４の適宜の位置に、固着しておく必要がある。
【０００８】
次に図１（２）のネクタイについて説明する。
これは装飾体６の代わりに、ネクタイ後部４の一部に装飾部７を設けたものである。装飾部７は、ネクタイ本体２とは別体ではなく、一体のものとされている。この点が図１（１）のものと相違している。装飾部７の色や模様は、通常、ネクタイ本体２のものとは異なったものとされる（ネクタイ本体２と同じものでは駄目かというと、そういうわけではない。）。
次に図１（３）（４）のネクタイについて説明する。
これらは、貫通穴５の形状を、図１（１）のものとは異なったものとした例である。貫通穴５の形状は、図１（１）の例ではダイヤ形とされているが、何もこの形状に限られるわけではない。種々の形状とすることが出来る。図１（３）の例では少し縦長の四角形とし、図１（４）の例ではハート形としている。
なお、図１（３）（４）のネクタイでは、ネクタイ本体２とは別体の装飾体６を取り付けるものを示しているが、その代わりに、ネクタイ本体２と一体の装飾部７を設けるようにしてもよいことは言うまでもない。
【０００９】
図２は、本考案のネクタイを使用した状態を説明する図である。符号は図１のものに対応し、８は結び目である。図２（１）（３）は正面から見た図であり、図２（２）は側方から見た図である。
ネクタイ前部３の正面にある貫通穴５の後方に、装飾体６が丁度位置するようにネクタイ１を結べば、矢印Ａのように正面から見ると、貫通穴５を通して装飾体６が見えることになる。その場合、例えばネクタイ前部３が赤色で、装飾体６が青色であったとすると、赤色のネクタイ地の中央付近に、ダイヤ形状をした青が立体的な深みをもって見えることになる。
【００１０】
図２（３）では、装飾体６として、その表面に任意の図柄９（例、子犬の顔）が施されたものを使用した場合を示している。ネクタイを締める時は、その図柄９が丁度貫通穴５を通して見えるように締める（あるいは、締めた後、図柄９が貫通穴５を通して見えるように位置決めして、装飾体６をネクタイ後部４に安全ピン等で取り付ける）。
このように、図柄９が異なった装飾体６を幾つか保持しておき、その日に気に入ったものをネクタイに取り付けて楽しむというように使うことも出来る。
【００１１】
以上述べたように、本考案は、ネクタイ前部３が全て単なる平面となっている従来のネクタイに比べ、その独特な構成により、ネクタイにおける新たな装飾の世界を切り開くものである。
これにより、従来のものとは異なる味わいとか風情とかを醸し出すことが出来、独特の美的佇まいを具えるものとなる。それに伴い、当然のことながら、付加価値を高めることが出来る。
【図面の簡単な説明】
【００１２】
【図１】本考案のネクタイを示す図
【図２】本考案のネクタイを使用した状態を説明する図
【図３】従来のネクタイを示す図
【符号の説明】
【００１３】
１…ネクタイ、２…ネクタイ本体、３…ネクタイ前部、４…ネクタイ後部、５…貫通穴、６…装飾体、７…装飾部、８…結び目、９…図柄
【図１】
0003103830.tif 000003
【図２】
0003103830.tif 000004
【図３】
0003103830.tif 000005